【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
複数の検出手段と、
複数の光源を有する発光手段と、
前記発光手段からの光を変調することで画面に画像を表示する表示手段と、
前記光源の発光を制御する制御手段と、
を有し、
前記検出手段では、当該検出手段に対応する光源からの光と、当該検出手段に対応する光源以外の光源からの光との合成光が、前記制御手段によってＮ個（Ｎは２以上の整数）の検出手段に対応するＮ個の光源が点灯している状態で検出される
画像表示装置であって、
前記光源と当該光源に対応しない検出手段との組み合わせ毎に、当該光源からの光の当該検出手段の検出値に対する影響度合いを記憶する記憶手段と、
前記制御手段によって前記Ｎ個の光源が点灯している状態で得られた前記Ｎ個の検出手段のＮ個の検出値、及び、前記組み合わせ毎の影響度合いに基づいて、前記Ｎ個の光源のそれぞれについて、その光源からの光を示す光値を取得する取得手段と、
を有することを特徴とする画像表示装置。
【請求項２】
前記Ｎ個の検出手段のそれぞれについて、前記制御手段によって前記Ｎ個の光源が点灯している状態で得られたその検出手段の検出値、当該検出値に対するＮ−１個の影響度合い、及び、前記Ｎ個の光源のＮ個の光値の間の関係を示す関係式が予め定められており、
前記取得手段は、前記Ｎ個の検出手段のそれぞれの関係式からなるＮ元連立方程式を解くことにより、前記Ｎ個の光値を算出する
ことを特徴とする請求項１に記載の画像表示装置。
【請求項３】
前記制御手段によって前記Ｎ個の光源が点灯している状態で得られた検出手段Ａの検出値をＶＡ、前記検出値ＶＡに対する光源ＳＸ（ＳＸは１以上Ｎ−１以下の整数）からの光の影響度合いをＥＳＸ、前記検出手段Ａに対応する光源ＳＡの光値をＶＳＡ、光源ＳＸの光値をＶＳＸとした場合に、前記検出手段Ａに対する前記関係式は、
【数１】
2015090394.tif 000001
である
ことを特徴とする請求項２に記載の画像表示装置。
【請求項４】
前記発光手段は、前記Ｎ個の検出手段のそれぞれについて、ｎ個（ｎは１以上の整数）の光源を有し、
前記制御手段は、Ｎ×ｎ個の光源の光値を取得するために、前記Ｎ個の検出手段に対応するＮ個の光源を点灯する処理をｎ回行う
ことを特徴とする請求項１〜３のいずれか１項に記載の画像表示装置。
【請求項５】
前記制御手段によって一の光源のみが点灯している状態で得られた、前記一の光源に対応する検出手段の検出値、及び、他の光源に対応する検出手段の検出値に基づいて、前記他の光源に対応する検出手段の検出値に対する前記一の光源からの光の影響度合いを取得し、前記記憶手段に記録する記録手段をさらに有する
ことを特徴とする請求項１〜４のいずれか１項に記載の画像表示装置。
【請求項６】
前記記録手段は、前記一の光源に対応する検出手段の検出値で前記他の光源に対応する検出手段の検出値を除算することにより、前記他の光源に対応する検出手段の検出値に対する前記一の光源からの光の影響度合いを算出する
ことを特徴とする請求項５に記載の画像表示装置。
【請求項７】
前記制御手段は、前記Ｎ個の光源のそれぞれの光値が目標値と一致するように、前記Ｎ個の光源のそれぞれの発光を制御する
ことを特徴とする請求項１〜６のいずれか１項に記載の画像表示装置。
【請求項８】
前記検出手段は、光の輝度を検出する
ことを特徴とする請求項１〜７のいずれか１項に記載の画像表示装置。
【請求項９】
前記検出手段は、光の色を検出する
ことを特徴とする請求項１〜８のいずれか１項に記載の画像表示装置。
【請求項１０】
複数の検出手段と、
複数の光源を有する発光手段と、
前記光源の発光を制御する制御手段と、
を有し、
前記検出手段では、当該検出手段に対応する光源からの光と、当該検出手段に対応する光源以外の光源からの光との合成光が、前記制御手段によってＮ個（Ｎは２以上の整数）の検出手段に対応するＮ個の光源が点灯している状態で検出される
光源装置であって、
前記光源と当該光源に対応しない検出手段との組み合わせ毎に、当該光源からの光の当該検出手段の検出値に対する影響度合いを記憶する記憶手段と、
前記制御手段によって前記Ｎ個の光源が点灯している状態で得られた前記Ｎ個の検出手段のＮ個の検出値、及び、前記組み合わせ毎の影響度合いに基づいて、前記Ｎ個の光源のそれぞれについて、その光源からの光を示す光値を取得する取得手段と、
を有することを特徴とする光源装置。
【請求項１１】
複数の検出手段と、
複数の光源を有する発光手段と、
前記発光手段からの光を変調することで画面に画像を表示する表示手段と、
前記光源と当該光源に対応しない検出手段との組み合わせ毎に、当該光源からの光の当該検出手段の検出値に対する影響度合いを記憶する記憶手段と、
を有する画像表示装置の制御方法であって、
前記光源の発光を制御する制御ステップと、
前記光源からの光を示す光値を取得する取得ステップと、
を有し、
前記検出手段では、当該検出手段に対応する光源からの光と、当該検出手段に対応する光源以外の光源からの光との合成光が、前記制御ステップによってＮ個（Ｎは２以上の整数）の検出手段に対応するＮ個の光源が点灯している状態で検出され、
前記取得ステップでは、前記制御ステップによって前記Ｎ個の光源が点灯している状態で得られた前記Ｎ個の検出手段のＮ個の検出値、及び、前記組み合わせ毎の影響度合いに基づいて、前記Ｎ個の光源のそれぞれについて、その光源からの光を示す光値が取得される
ことを特徴とする画像表示装置の制御方法。
【請求項１２】
前記Ｎ個の検出手段のそれぞれについて、前記制御ステップによって前記Ｎ個の光源が点灯している状態で得られたその検出手段の検出値、当該検出値に対するＮ−１個の影響度合い、及び、前記Ｎ個の光源のＮ個の光値の間の関係を示す関係式が予め定められており、
前記取得ステップでは、前記Ｎ個の検出手段のそれぞれの関係式からなるＮ元連立方程式を解くことにより、前記Ｎ個の光値が算出される
ことを特徴とする請求項１１に記載の画像表示装置の制御方法。
【請求項１３】
前記制御ステップによって前記Ｎ個の光源が点灯している状態で得られた検出手段Ａの検出値をＶＡ、前記検出値ＶＡに対する光源ＳＸ（ＳＸは１以上Ｎ−１以下の整数）からの光の影響度合いをＥＳＸ、前記検出手段Ａに対応する光源ＳＡの光値をＶＳＡ、光源ＳＸの光値をＶＳＸとした場合に、前記検出手段Ａに対する前記関係式は、
【数２】
2015090394.tif 000002
である
ことを特徴とする請求項１２に記載の画像表示装置の制御方法。
【請求項１４】
前記発光手段は、前記Ｎ個の検出手段のそれぞれについて、ｎ個（ｎは１以上の整数）の光源を有し、
前記制御ステップでは、Ｎ×ｎ個の光源の光値を取得するために、前記Ｎ個の検出手段に対応するＮ個の光源を点灯する処理がｎ回行われる
ことを特徴とする請求項１１〜１３のいずれか１項に記載の画像表示装置の制御方法。
【請求項１５】
前記制御ステップによって一の光源のみが点灯している状態で得られた、前記一の光源に対応する検出手段の検出値、及び、他の光源に対応する検出手段の検出値に基づいて、前記他の光源に対応する検出手段の検出値に対する前記一の光源からの光の影響度合いを取得し、前記記憶手段に記録する記録ステップをさらに有する
ことを特徴とする請求項１１〜１４のいずれか１項に記載の画像表示装置の制御方法。
【請求項１６】
前記記録ステップでは、前記一の光源に対応する検出手段の検出値で前記他の光源に対応する検出手段の検出値を除算することにより、前記他の光源に対応する検出手段の検出値に対する前記一の光源からの光の影響度合いが算出される
ことを特徴とする請求項１５に記載の画像表示装置の制御方法。
【請求項１７】
前記制御ステップでは、前記Ｎ個の光源のそれぞれの光値が目標値と一致するように、前記Ｎ個の光源のそれぞれの発光が制御される
ことを特徴とする請求項１１〜１６のいずれか１項に記載の画像表示装置の制御方法。
【請求項１８】
前記検出手段は、光の輝度を検出する
ことを特徴とする請求項１１〜１７のいずれか１項に記載の画像表示装置の制御方法。
【請求項１９】
前記検出手段は、光の色を検出する
ことを特徴とする請求項１１〜１８のいずれか１項に記載の画像表示装置の制御方法。
【請求項２０】
複数の検出手段と、
複数の光源を有する発光手段と、
前記光源と当該光源に対応しない検出手段との組み合わせ毎に、当該光源からの光の当該検出手段の検出値に対する影響度合いを記憶する記憶手段と、
を有する光源装置の制御方法であって、
前記光源の発光を制御する制御ステップと、
前記光源からの光を示す光値を取得する取得ステップと、
を有し、
前記検出手段では、当該検出手段に対応する光源からの光と、当該検出手段に対応する光源以外の光源からの光との合成光が、前記制御ステップによってＮ個（Ｎは２以上の整数）の検出手段に対応するＮ個の光源が点灯している状態で検出され、
前記取得ステップでは、前記制御ステップによって前記Ｎ個の光源が点灯している状態で得られた前記Ｎ個の検出手段のＮ個の検出値、及び、前記組み合わせ毎の影響度合いに基づいて、前記Ｎ個の光源のそれぞれについて、その光源からの光を示す光値が取得される
ことを特徴とする光源装置の制御方法。
【請求項２１】
請求項１１〜１９のいずれか１項に記載の画像表示装置の制御方法の各ステップをコンピュータに実行させるためのプログラム。
【請求項２２】
請求項２０に記載の光源装置の制御方法の各ステップをコンピュータに実行させるためのプログラム。 
【手続補正２】
【補正対象書類名】明細書
【補正対象項目名】０００９
【補正方法】変更
【補正の内容】
【０００９】
本発明の第１の態様は、
複数の検出手段と、
複数の光源を有する発光手段と、
前記発光手段からの光を変調することで画面に画像を表示する表示手段と、
前記光源の発光を制御する制御手段と、
を有し、
前記検出手段では、当該検出手段に対応する光源からの光と、当該検出手段に対応する
光源以外の光源からの光との合成光が、前記制御手段によってＮ個（Ｎは２以上の整数）の検出手段に対応するＮ個の光源が点灯している状態で検出される
画像表示装置であって、
前記光源と当該光源に対応しない検出手段との組み合わせ毎に、当該光源からの光の当該検出手段の検出値に対する影響度合いを記憶する記憶手段と、
前記制御手段によって前記Ｎ個の光源が点灯している状態で得られた前記Ｎ個の検出手段のＮ個の検出値、及び、前記組み合わせ毎の影響度合いに基づいて、前記Ｎ個の光源のそれぞれについて、その光源からの光を示す光値を取得する取得手段と、
を有することを特徴とする画像表示装置である。 
【手続補正３】
【補正対象書類名】明細書
【補正対象項目名】００１０
【補正方法】変更
【補正の内容】
【００１０】
本発明の第２の態様は、
複数の検出手段と、
複数の光源を有する発光手段と、
前記光源の発光を制御する制御手段と、
を有し、
前記検出手段では、当該検出手段に対応する光源からの光と、当該検出手段に対応する光源以外の光源からの光との合成光が、前記制御手段によってＮ個（Ｎは２以上の整数）の検出手段に対応するＮ個の光源が点灯している状態で検出される
光源装置であって、
前記光源と当該光源に対応しない検出手段との組み合わせ毎に、当該光源からの光の当該検出手段の検出値に対する影響度合いを記憶する記憶手段と、
前記制御手段によって前記Ｎ個の光源が点灯している状態で得られた前記Ｎ個の検出手段のＮ個の検出値、及び、前記組み合わせ毎の影響度合いに基づいて、前記Ｎ個の光源のそれぞれについて、その光源からの光を示す光値を取得する取得手段と、
を有することを特徴とする光源装置である。 
【手続補正４】
【補正対象書類名】明細書
【補正対象項目名】００１１
【補正方法】変更
【補正の内容】
【００１１】
本発明の第３の態様は、
複数の検出手段と、
複数の光源を有する発光手段と、
前記発光手段からの光を変調することで画面に画像を表示する表示手段と、
前記光源と当該光源に対応しない検出手段との組み合わせ毎に、当該光源からの光の当該検出手段の検出値に対する影響度合いを記憶する記憶手段と、
を有する画像表示装置の制御方法であって、
前記光源の発光を制御する制御ステップと、
前記光源からの光を示す光値を取得する取得ステップと、
を有し、
前記検出手段では、当該検出手段に対応する光源からの光と、当該検出手段に対応する光源以外の光源からの光との合成光が、前記制御ステップによってＮ個（Ｎは２以上の整数）の検出手段に対応するＮ個の光源が点灯している状態で検出され、
前記取得ステップでは、前記制御ステップによって前記Ｎ個の光源が点灯している状態
で得られた前記Ｎ個の検出手段のＮ個の検出値、及び、前記組み合わせ毎の影響度合いに基づいて、前記Ｎ個の光源のそれぞれについて、その光源からの光を示す光値が取得される
ことを特徴とする画像表示装置の制御方法である。 
【手続補正５】
【補正対象書類名】明細書
【補正対象項目名】００１２
【補正方法】変更
【補正の内容】
【００１２】
本発明の第４の態様は、
複数の検出手段と、
複数の光源を有する発光手段と、
前記光源と当該光源に対応しない検出手段との組み合わせ毎に、当該光源からの光の当該検出手段の検出値に対する影響度合いを記憶する記憶手段と、
を有する光源装置の制御方法であって、
前記光源の発光を制御する制御ステップと、
前記光源からの光を示す光値を取得する取得ステップと、
を有し、
前記検出手段では、当該検出手段に対応する光源からの光と、当該検出手段に対応する光源以外の光源からの光との合成光が、前記制御ステップによってＮ個（Ｎは２以上の整数）の検出手段に対応するＮ個の光源が点灯している状態で検出され、
前記取得ステップでは、前記制御ステップによって前記Ｎ個の光源が点灯している状態で得られた前記Ｎ個の検出手段のＮ個の検出値、及び、前記組み合わせ毎の影響度合いに基づいて、前記Ｎ個の光源のそれぞれについて、その光源からの光を示す光値が取得される
ことを特徴とする光源装置の制御方法である。 
【手続補正６】
【補正対象書類名】明細書
【補正対象項目名】００１３
【補正方法】変更
【補正の内容】
【００１３】
本発明の第５の態様は、上述した画像表示装置の制御方法の各ステップをコンピュータに実行させるためのプログラムである。 
【手続補正７】
【補正対象書類名】明細書
【補正対象項目名】００１４
【補正方法】変更
【補正の内容】
【００１４】
本発明の第６の態様は、上述した光源装置の制御方法の各ステップをコンピュータに実行させるためのプログラムである。